(57)【要約】      （修正有）【課題】１つのモータにより複数のドラムを同期回転させ各ドラムを個別に停止させる。【解決手段】同軸に中心軸を有しつつ並置された複数のドラム体２０を同期回転せしめそれぞれ独立して所定角度位置で停止させる遊技機のドラム式表示装置１である。長手方向に沿って所定間隔で位置する複数のドラム２０を相対回転自在に保持し駆動手段２により自回転する軸３と、複数のドラム２０のそれぞれに組をなして与えられ、ドラム２０の片側面に片主面を対向させ中心軸を軸３に固定されて共動する円板１０と、ドラム２０を所定角度位置で回転停止させる手段３０を含み、対向するドラム２０の片側面及び円板１０の片主面には、軸３を中心とする同一円周上に磁石及び磁石吸引体の一方ずつが与えられて複数のドラム２０を同期回転する。【選択図】図１
2013085627.tif 000002
【特許請求の範囲】
【請求項１】
同軸に中心軸を有しつつ並置された複数のドラム体を同期回転せしめるとともにそれぞれ独立して所定角度位置で停止させてその外周面に与えられた図柄を表示させる遊技機のドラム式表示装置であって、
長手方向に沿って所定間隔で位置する複数の前記ドラム体を相対回転自在に保持しつつ駆動手段により自回転する軸体と、
複数の前記ドラム体のそれぞれに組をなして与えられ、
前記ドラム体の片側面に片主面を対向させ中心軸を前記軸体に固定されて共動する円板体と、
前記ドラム体を所定角度位置で回転停止させる停止手段と、を含み、
対向する前記ドラム体の前記片側面及び前記円板体の前記片主面には、前記軸体を中心とする同一円周上に磁石及び磁石吸引体の一方ずつが与えられて複数の前記ドラム体を同期回転せしめ得ることを特徴とするドラム式表示装置。
【請求項２】
前記磁石及び／又は前記磁石吸引体は前記同一円周を所定数に均等分割した位置毎に複数与えられていることを特徴とする請求項１記載のドラム式表示装置。
【請求項３】
前記磁石吸引体も磁石からなることを特徴とする請求項１記載のドラム式表示装置。
【請求項４】
前記停止手段は、前記ドラム体の前記外周面の側縁部に設けられた複数の凹部と、前記ドラム体の前記外周面の前記側縁部に向けて移動可能な係止片と、を含み、前記係止片が前記凹部に侵入することで前記ドラム体を回転停止させることを特徴する請求項１乃至３のうち１つに記載のドラム式表示装置。
【請求項５】
前記凹部は、前記図柄の数及び位置に対応して、前記円周面に沿った所定間隔で複数設けられることを特徴する請求項４記載のドラム式表示装置。
【発明の詳細な説明】
【技術分野】
【０００１】
本発明は、遊技機のドラム式表示装置に関し、特に、同軸に中心軸を有しつつ並置された複数のドラム体を回転せしめるとともにそれぞれ独立して所定角度位置で停止させてその外周面に与えられた図柄を表示させる遊技機のドラム式表示装置に関する。
【背景技術】
【０００２】
円筒の外周面に沿って複数の図柄を順に与えたドラム体をその回転中心軸を同軸になるようにして複数並置しこれらを一斉に回転させる。その上で、遊技者の操作又は所定の時間経過後にドラム体を個別に停止させていき、所定の方向に向けて図柄の組合せを表示させる。このような遊技機のドラム式表示装置は、表示された図柄の組合せによって遊技における「当たり」又は「はずれ」などを遊技者に報知する。
【０００３】
一般的に、ドラム式表示装置は、各ドラム体毎にモータを含む駆動部をそれぞれ与えて独立してドラム体を回転及び停止できるようにしている。また、複数のドラム体を同期して回転できるようにその回転にステッピングモータを用いたり、各種のギア機構を組み入れたりすることなども行われている。
【０００４】
例えば、特許文献１では、モータによる駆動力をギア機構ではなく、磁力によって回転ドラム体に伝達するようにしたスロット機のドラム式表示装置が開示されている。詳細には、環状マグネット体を外周面に有するローラ部材とマグネットシートを外周面に与えた回転ドラム体とを互いの外周面同士を対向させて近接配置する。マグネットシートは、周方向の所定長さ毎にＮ極とＳ極の磁性を反転させるようにして磁極を与えられている。また、環状マグネット体は、小さな永久磁石を周方向の所定長さ毎にＮ極とＳ極の磁性が反転するように交互に磁極を環状に配置して与えられている。ローラ部材をモータで回転させると、環状マグネット体の周囲で磁場が連続的に変化する。この変化する磁場によりマグネットシートの磁極毎に吸引力及び斥力を作用させ、マグネットシート及び環状マグネットの磁極同士の近接と離間を繰り返しながら回転ドラムが回転するのである。モータによる駆動力の回転ドラム体への伝達をギア機構ではなく磁力によることで、回転ドラムの交換時にギア機構を分解及び組み立てる手間の掛かる工程が不要となって、作業性に優れるとも述べている。
【０００５】
ところで、ドラム式表示装置が一般に組み込まれるセンター表示装置の近傍には、例えば、可動役物などを設置することなども広く行われ、これらの収容スペースを確保する上で、ドラム式表示装置をよりコンパクトにすることも要求される。これに対して、回転ドラム毎に与えられていたモータを含む駆動部を１つのモータで駆動できるようにして大きさをコンパクトにしたドラム式表示装置も開発されている。
【０００６】
例えば、特許文献２では、１つのモータで複数の回転ドラムを回転駆動させるコンパクトなドラム式表示装置が開示されている。詳細には、表示装置は、モータを動力源として回転する回転軸体と、これに遊嵌されて摩擦力でトルクを伝達される複数の回転ドラムと、を含む。各回転ドラムは回転軸との摩擦力でトルクを伝達され、複数のドラムを１つのモータで回転させ得る。一方、回転ドラムの停止時には、各回転ドラムに固定されたラチェット歯車にドラム停止用の爪状ストッパを移動させて噛み合わせることにより回転軸体と回転ドラムとの間の摩擦力に抗して各回転ドラムの回転を個別に停止できるのである。
【先行技術文献】
【特許文献】
【０００７】
【特許文献１】特開２００４−１４７８４４号公報
【特許文献２】特開昭５５−０３５６３７号公報
【発明の概要】
【発明が解決しようとする課題】
【０００８】
ところで、遊技機のドラム式表示装置では、回転ドラムの基準位置を互いに揃え若しくは相対的角度に維持したまま、例えば、所定の図柄を一直線状に並ぶように揃えた上でこれを維持したまま、少なくとも所定時間だけ同一回転速度で回転することが必要である(同期回転)。
【０００９】
本発明は、以上のような状況に鑑みてなされたものであって、その目的とするところは１つのモータにより複数のドラムを同期回転させるとともに各ドラムを個別に停止させることができるドラム式表示装置を提供することにある。
【課題を解決するための手段】
【００１０】
本発明によるドラム式表示装置は、同軸に中心軸を有しつつ並置された複数のドラム体を同期回転せしめるとともにそれぞれ独立して所定角度位置で停止させてその外周面に与えられた図柄を表示させる遊技機のドラム式表示装置であって、長手方向に沿って所定間隔で位置する複数の前記ドラム体を相対回転自在に保持しつつ駆動手段により自回転する軸体と、複数の前記ドラム体のそれぞれに組をなして与えられ、前記ドラム体の片側面に片主面を対向させ中心軸を前記軸体に固定されて共動する円板体と、前記ドラム体を所定角度位置で回転停止させる停止手段と、を含み、対向する前記ドラム体の前記片側面及び前記円板体の前記片主面には、前記軸体を中心とする同一円周上に磁石及び磁石吸引体の一方ずつが与えられて複数の前記ドラム体を同期回転せしめ得ることを特徴とする。
【００１１】
かかる発明によれば、自回転する１つの軸体の周囲で回転する複数の円板体とこれと組をなすドラム体との間で磁力による吸引を得た上で、これを維持したまま回転トルクが伝達され、複数のドラム体を同期回転できる。また、磁力に抗してドラム体の回転を停止させても他のドラム体の回転に影響を与えない。つまり、１つのモータにより複数のドラム体を同期回転させるとともに各ドラム体を個別に停止させることができるのである。
【００１２】
上記した発明において、前記磁石及び／又は前記磁石吸引体は前記同一円周を所定数に均等分割した位置毎に複数与えられていることを特徴としてもよい。かかる発明によれば、複数の磁石のうちの１つと、複数の磁石吸引体のうちの１つと、が回転開始時に選択的に対応関係、すなわち磁力による吸引関係を得てこれを保持したまま各ドラム体が回転するのである。故に、複数のドラム体が同期回転せしめられるのである。
【００１３】
上記した発明において、前記磁石吸引体も磁石からなることを特徴としてもよい。かかる発明によれば、軸体の回転を円板体を介してドラム体により強く与えることができて、例えば、ドラム体を高速に回転させたときであっても安定してこれを回転させることができるのである。
【００１４】
上記した発明において、前記停止手段は、前記ドラム体の前記外周面の側縁部に設けられた複数の凹部と、前記ドラム体の前記外周面の前記側縁部に向けて移動可能な係止片と、を含み、前記係止片が前記凹部に侵入することで前記ドラム体を回転停止させることを特徴としてもよい。かかる発明によれば、ドラム体の図柄に接触せずこれを汚損させることなく、ドラム体を個別に所定の角度位置で確実に停止させることができるのである。
【００１５】
上記した発明において、前記凹部は、前記図柄の数及び位置に対応して、前記円周面に沿った所定間隔で複数設けられることを特徴としてもよい。かかる発明によれば、ドラム体の回転停止位置（角度）は間欠的に与えられた凹部の位置によって規定され、図柄の表示位置が正確に確定されるのである。
【図面の簡単な説明】
【００１６】
【図１】本発明によるドラム式表示装置の斜視図である。
【図２】本発明によるドラム式表示装置の上面図である。
【図３】本発明によるドラム式表示装置の要部の分解斜視図である。
【図４】本発明によるドラム式表示装置の要部の（ａ）側面図、及び、（ｂ）正断面図である。
【図５】ドラム式表示装置の動作を示すフローチャートである。
【図６】ドラム式表示装置の要部の側断面図である。
【発明を実施するための形態】
【００１７】
本発明による１つの実施例であるドラム式表示装置について図１乃至図４を用いて説明する。
【００１８】
図１及び図２に示すように、表示装置１は、モータ２と、モータ２により回転するシャフト３と、シャフト３に固定される３つのディスク１０と、ディスク１０とそれぞれ組をなしてシャフト３に沿って並置された３つのドラム２０と、各ドラム２０の後方に配置された３つの停止装置３０とを主構成部分として含む。
【００１９】
モータ２は、減速機を介するなどして図示しない軸受け等に支持されるシャフト３に接続され、シャフト３に回転軸Ｒを中心とした回転を与えることができる。モータ２は図示しないモータ駆動基板に駆動電力を供給されるように接続され、図示しない制御装置からモータ駆動基板に向けて送信されるモータ始動信号などの信号に基づいて駆動される。モータ２は、モータ駆動基板によって正逆両方向の駆動を可能に制御される。
【００２０】
略円板形状のディスク１０は、それぞれの主面を互いに対向させるように所定の間隔を開けてシャフト３に計３つ固定されている。ディスク１０はシャフト３の回転により回転軸Ｒを中心として回転可能である。つまり、各ディスク１０はシャフト３が回転することで共動する。図３及び図４に示すように、ディスク１０には、組をなすドラム２０側の主面において回転軸Ｒを中心とする円Ｃ１上に、後述する図柄の数と同数である３つの磁石吸引部材１１が均等な間隔で配置され、植設されている。また、磁石吸引部材１１は、３つのディスク１０が共動する際に他のディスク１０に配置された磁石吸引部材１１同士で回転角度を揃えるよう配置されている。つまり、各ディスク１０は、均等配置された磁石吸引部材１１の向きを合わせてシャフト３に固定されている。磁石吸引部材１１としては鉄などの強磁性体からなるビスを使用できる。
【００２１】
各ドラム２０は、略円柱形状のドラム端部２１を各ディスク１０側に有し、ドラム端部２１からその外周面を連続させるようにディスク１０と反対側に延びる略円筒形のドラム主要部２２を有する。ドラム端部２１は、その中心に貫通孔８を有し、貫通孔８に貫挿されたシャフト３により相対回転自在に軸支されている。これにより、シャフト３からドラム２０に回転トルクはほとんど伝達されない。ドラム主要部２２は中空であり、その内部に図示しないバックライトを有する。ドラム主要部２２は中空なので、その全面において内部の光を透過させ得る。これにより、例えば、ドラム主要部２２の正面側の全面、すなわち正面に表示される図柄の全体を明るく表示させることができる。
【００２２】
各ドラム端部２１のディスク１０側の端面には、後述する図柄の数と同数である３つの溝部２３がそれぞれ等間隔で与えられる。溝部２３は、それぞれ、ドラム主要部２２の外周面に与えられる後述する図柄と所定の位置関係を有し、ドラム端部２１の外周面から回転軸Ｒに向けて半径のおよそ半分の長さまで延びている。また、各ドラム端部２１のディスク１０側の端面には、さらに、略円柱形状の磁石２４が植設される。磁石２４は、ディスク１０に植設された磁石吸引部材１１の配置される円Ｃ１と対向し、円Ｃ１と略同一径の円Ｃ２上の１カ所に配置されており、ディスク１０を回転させたときに磁石吸引部材１１のうちの１つと互いに磁力により吸引し合い、ドラム２０をディスク１０の回転に追従させて回転させることができる。また、特に図３を参照すると、磁石２４は後述する「７」図柄の上端部近傍に位置する溝部２３と回転軸Ｒを挟んで回転角度を略反対側とする位置に配置されている。このように、磁石２４は各ドラム２０に配置されている所定の図柄と所定の位置関係を有する定められた位置に配置されている。
【００２３】
ドラム主要部２２の外周面には、「３」及び「７」のアラビア数字と「星」を示す記号の３つの図柄を印刷された図柄シートが、その図柄を溝部２３と上記した所定の位置関係とするように与えられている。すなわち、ドラム端部２１の外周面に開口した各溝部２３に対して、各図柄はその上端部近傍を近接させるように位置し、ドラム主要部２２の外周面に均等に配置されている。この位置関係によって、後述するストッパ３４を溝部２３に侵入させたときに、かかる溝部２３に隣接する図柄の１つ下の図柄が表示装置１の正面に位置するのである。
【００２４】
再び、図１及び図２を参照すると、各停止装置３０は、組をなす各ドラム２０の後方に配置されており、ドラム主要部２２の外周面に対向して立設された停止装置本体３１と、停止装置本体３１の下部側方から突き出たストッパ軸体３２と、ストッパ軸体３２に接続されて上方に延びる棒状のストッパ支持部３３と、ストッパ支持部３３の上方端部から略水平に前方に延びるストッパ３４を含む。
【００２５】
停止装置本体３１はストッパ軸体３２を回転させるための図示しないソレノイド（アクチュエータ）を内部に有する。かかるソレノイドは図示しないストッパ動作基板を介して制御装置に接続されており、制御装置から出力されるストッパ侵入信号に基づいてストッパ動作基板から供給される電力により動作させることができる。また、かかるソレノイドは復帰用のスプリングを備えており、制御装置から出力されるストッパ抜去信号に基づいて原点に復帰できる。ストッパ支持部３３及びストッパ３４はドラム端部２１の後方に位置している。停止装置３０は、ソレノイドによるストッパ軸体３２の回転によりストッパ３４をドラム端部２１の溝部２３に侵入させ、また、抜き去ることができる。ストッパ３４は、ドラム２０の回転によって移動する溝部２３へ滑らかに侵入し得るように、その先端部に先端側に凸となる曲面を有している。また、この曲面の形状は、ドラム２０の回転方向に対して略対称であり、ドラム２０が逆方向に回転する場合であっても同様に溝部２３へ滑らかに侵入し得る。
【００２６】
次に、表示装置１の動作について図５に沿って図１、図２及び図６を参照しつつその詳細を説明する。
【００２７】
図５に図１及び図２を併せて参照すると、モータ始動ステップＳ１では、遊技球の特定入賞口への入賞などを契機として制御装置から送信されるモータ始動信号に基づいてモータ２が駆動する。これにより、シャフト３が自回転しシャフト３に固定された３つのディスク１０をその回転角度を揃えて回転させる。ここで、各ドラム端部２１の磁石２４がその磁力によって、それぞれ最初に対向した磁石吸引部材１１と互いに吸引し合う吸引関係を得る。このとき、図６（ａ）に示すように、ストッパ３４は溝部２３に侵入しておらず、相対回転自在である。そのため、かかる吸引関係を保持したまま磁石吸引部材１１の動きに磁石２４を追従させ、各ドラム２０は各ディスク１０に回転トルクを伝達されるとともに、その回転に追従して回転する。また、上記したように、各ディスク１０はシャフト３に固定されていて共動するため、各ドラム２０は回転周期をディスク１０に同期させて回転する。なお、磁石吸引部材１１と磁石２４との位置関係によっては始動時にディスク１０の回転を開始してから上記した吸引関係を得るまでに、タイムラグを生じ得る。本実施例では、３つの磁石吸引部材１１を円Ｃ１の円周上に均等に配置させているので、かかるタイムラグの最大値を小さくし得て、これにより各ドラム２０の始動をスムーズにし得る。
【００２８】
上記したように、各ディスク１０は、磁石吸引部材１１の向きを合わせるようにしてシャフト３に固定されている。また、磁石２４は各ドラム２０に配置されている図柄と所定の位置関係を有する定められた位置に配置されている。すなわち、ドラム２０の回転中において、磁石２４は３つある磁石吸引部材１１のうちの１つと互いに吸引し合い対向した位置関係を保つので、かかる磁石吸引部材１１は図柄の１つと所定の位置関係を保つことになる。図柄の数と磁石吸引部材１１の数が同数で、それぞれが回転方向に均等な角度で配置されているから、３つのドラム２０は、互いの相対的角度を維持したまま、つまり、隣り合うドラム２０上の図柄同士の上端と下端とを互いに揃えたまま、回転周期を同期させて回転する。例えば、図１に示すように「７」「３」「星」の組合せを揃えたまま回転するのである。これにより、３つのドラム２０の回転周期が同期していることを遊技者にわかりやすく示すことができる。また、磁石吸引部材１１は溝部２３とも図柄と同様に所定の位置関係を保つことになるため、各ドラム２０の始動タイミングを同期させることもできる。
【００２９】
ストッパ侵入ステップＳ２では、図示しない制御装置からストッパ侵入信号が所定のタイミングで送信される。これに基づいてストッパ動作基板から電力の供給を受けてソレノイドが動作し、ストッパ軸体３２を回転させてストッパ３４をドラム端部２１に向けて移動させる。この移動によって、ストッパ３４は、一旦ドラム端部２１の外周面に当接し、その後外周面を滑ってから、図６（ｂ）に示すように、最初に到達した溝部２３に侵入する。この侵入によって、ストッパ３４と溝部２３とが係合し、ドラム２０の回転を停止させる。すると、磁石２４と磁石吸引部材１１との吸引関係が断ち切られる。この吸引関係を断ち切っても、すなわち３つのドラム２０のうちの１つを磁力に抗して停止させても、ディスク１０の回転は継続し、他のドラム２０の回転に影響を与えない。つまり、ディスク１０の回転を維持したままドラム２０の回転を個別に停止させることができる。
【００３０】
上記したように、溝部２３は、ストッパ３４を溝部２３に侵入させたときに図柄の１つを正面に位置させるような位置関係を図柄に対して有している。ドラム２０の回転停止位置は等間隔で与えられた溝部２３の位置によって規定されるので、回転を停止されたドラム２０の正面には、正確に位置を定められた図柄の１つが表示されるのである。溝部２３の数を図柄の数と同数とし、それぞれ均等に配置してあるので、各ドラム２０の各図柄の全ての表示位置を正面の所定の位置に確定し得る。
【００３１】
このようにして、表示装置１は、３つの停止装置３０によりそれぞれ組をなす３つのドラム２０の回転を順次停止させて、３つの図柄の組合せをその正面に表示させる。ここで、正面に表示した図柄を検出する検知装置を設けるなどし、かかる検知の結果を制御装置に送信し、これに基づいて当たり判定などを行うことができる。また、別途行う大当たり判定の結果に応じた図柄の組合せの表示を行わせるために、回転中の図柄の位置を検知しつつ、これに合わせてストッパ侵入信号を与えることもできる。
【００３２】
３つのドラム２０全てを停止させた後、モータ停止ステップＳ３では、制御装置からのモータ停止信号に基づいてモータ駆動基板がモータ２の駆動を停止させる。これに伴いシャフト３の回転が停止し、シャフト３に固定された３つのディスク１０の回転も停止する。
【００３３】
ストッパ抜去ステップＳ４では、図示しない制御装置からのストッパ抜去信号に基づいてストッパ動作基板がソレノイドを原点に復帰させるように制御する。これに伴い、図６（ｃ）に示すように、ストッパ軸体３２は復帰する方向に回転しストッパ３４を溝部２３から抜去る。これにより、再びモータ始動ステップＳ１においてドラム２０を回転させることができる。
【００３４】
このように、モータ始動ステップＳ１からストッパ抜去ステップＳ４までを繰り返すことで、表示装置１は３つの図柄の組合せを繰り返し表示させることができる。
【００３５】
なお、モータ２を回転させたまま、表示装置１に３つの図柄の組合せを繰り返し表示させることもできる。例えば、モータ始動ステップＳ１を１度経てから、ストッパ侵入ステップＳ２とストッパ抜去ステップＳ４を繰り返すのである。
【００３６】
また、モータ２は正逆両方向に回転させることができるので、ドラム２０を逆方向に回転させることもできる。この場合でも、停止装置３０を上記と同様に動作させてストッパ３４を溝部２３に侵入させることでドラム２０の回転を停止させることができる。これを利用して、いわゆる戻し演出を行い得る。例えば、ストッパ侵入ステップＳ２において、２つのドラム２０を停止させた後に、モータ２を一旦停止させてから逆方向に回転させ、これに追従する残りの１つのドラム２０を逆回転させるのである。３つのドラム２０を逆回転させるような演出も行い得る。
【００３７】
以上、本実施例によれば、１つのモータ２で３つのドラム２０の周期を同期させて回転させるとともに各ドラム体を個別に停止させることができるドラム式の表示装置１を提供することができる。
【００３８】
なお、ストッパ３４の侵入するドラム端部２１をドラム主要部２２と分けて配置したので、ドラム主要部２２は、その図柄シートの巻かれた外周面に接触する部材等を有さず、接触による図柄シートの汚染や損傷を防止できる。
【００３９】
本実施例においては１つのドラム２０に配置される図柄を３つとしたが、図柄の数を増やすこともできる。その場合、溝部２３を図柄の数と同数にし、図柄の位置と所定の関係を有するように配置することで、図柄を表示装置１の正面の所定の位置において表示させることができる。
【００４０】
また、磁石２４と磁石吸引部材１１の数について、少なくとも一方を図柄と同数にして均等に配置することで、同様に、各ドラム２０の互いの相対的角度を維持したまま、すなわち図柄同士の上端と下端とを互いに揃えたまま、周期を同期させて回転させることができる。すなわち、上記と同様に磁石吸引部材１１を図柄の数と同数にする以外に、磁石２４を図柄の数と同数にしてもよいし、磁石吸引部材１１及び磁石２４の両者を図柄の数と同数にしてもよい。
【００４１】
また、磁石と磁石吸引部材とは互いに吸引し合い吸引関係を保つことができればよいので、磁石をディスク１０に配置し、磁石吸引部材をドラム端部２１に配置してもよい。さらに、磁石吸引部材として磁石を使用し、磁石同士で吸引し合うようにすることもできる。両者を磁石とすることで、シャフト３の回転トルクをディスク１０を介してドラム２０にさらに強く伝達し得て、例えば、ドラム２０の回転の速度を高めても、安定した回転を維持させることができる。このような、磁石吸引部材１１と磁石２４との組合せは、回転時にディスク１０にドラム２０を追従させやすく、かつ、停止装置３０によるドラム２０の停止によって吸引関係を断ち切りやすくするよう、ディスク１０とドラム端部２１との距離に応じて、適切な吸引力を得られる磁力となるような組合せを適宜選択し得る。
【００４２】
以上、本発明による代表的実施例及びこれに基づく変形例を説明したが、本発明は必ずしもこれに限定されるものではなく、当業者であれば、本発明の主旨又は添付した請求項の範囲を逸脱することなく種々の代替実施例及び改変例を見出すことができるだろう。
【符号の説明】
【００４３】
１  表示装置
２  モータ
３  シャフト
１０  ディスク
１１  磁石吸引部材
２０  ドラム
２４  磁石
３０  停止装置
３４  ストッパ
【図１】
2013085627.tif 000003
【図２】
2013085627.tif 000004
【図３】
2013085627.tif 000005
【図４】
2013085627.tif 000006
【図５】
2013085627.tif 000007
【図６】
2013085627.tif 000008